(57)【要約】【課題】  １枚の用紙に複数のページを配置して印刷する集約印刷が可能な画像形成装置及びプリンタドライバにおいて、前記用紙を折り畳んで冊子とする場合には、従来の集約印刷ではページ順及びページの上下方向が正しく印刷されないという問題点があった。【解決手段】  従来の集約印刷では、折り畳んで冊子として利用する場合にページの上下方向やページ順序が正しくならないという問題点を折り畳み冊子に適合するようページの上下方向とページ順序を配置するレイアウト配置部を備え、さらにその境界線を山折り、谷折り、切り込みのそれぞれに従って生成する境界線生成部を備えることにより解決した。【選択図】図２
2010030079.tif 000002
【特許請求の範囲】
【請求項１】
矩形上の用紙に上下２段、横２列の４枚のページを配置して印刷する集約印刷可能な画像形成装置であって、
前記用紙が半分の大きさの矩形に分ける第１の折り目で折り畳まれて、さらに前記第１の折り目に直交する方向の第２の折り目でもう一度半分の大きさに折り畳まれた冊子とするために、前記４枚のページを前記第１の折り目に対してページの上下方向が対向するよう配置し、前記第２の折り目を綴じ部としてページ繰り方向にページ順を並べるレイアウト配置部を有する
ことを特徴とする画像形成装置。
【請求項２】
請求項１の画像形成装置であって、
前記第１の折り目及び第２の折り目の山折り線及び谷折り線を生成して印刷する境界線生成部を有する
ことを特徴とする画像形成装置。
【請求項３】
矩形上の用紙に上下２段、横４列の８枚のページを配置して印刷する集約印刷可能な画像形成装置であって、
前記用紙が半分の大きさの上下の矩形に分ける第１の折り目で折り畳まれて、さらに前記第１の折り目に直交する方向で４等分割された冊子とするために、前記８枚のページを前記第１の折り目に対してページの上下方向が対向するよう配置し、前記８枚のページのページ順を時計回り、又は、反時計回りに並べるレイアウト配置部を有する
ことを特徴とする画像形成装置。
【請求項４】
請求項３に記載の画像形成装置であって、
前記上下２段、横４列の８枚のページの境界上に谷折り線、山折り線及び切り込み線を生成する境界線生成部を有し、
前記境界線生成部は、前記上下２段、横４列の８枚のページの左右両端の２列の上段と下段を分ける境界線を山折り線とし、中央の２列の上段と下段を分ける境界線を切り込み線とし、左列２列と右列２列を分ける中央の上下段の境界線を山折り線とし、左第１列と左第２列を分ける上下段の２つの境界線及び右第１列と右第２列を分ける上下段の２つの境界線のうち、第１ページ目の綴じ方向の境界線を山折り線とし、その他の３つの境界線を谷折り線とする
ことを特徴とする画像形成装置。
【請求項５】
矩形上の用紙に上下４段、横２列の８枚のページを配置して印刷する集約印刷可能な画像形成装置であって、
前記用紙が半分の大きさの左右の矩形に分ける第１の折り目で折り畳まれて、さらに前記第１の折り目に直交する方向で４等分割された冊子とするために、前記８枚のページを前記第１の折り目の左右でページの上下方向が逆となるよう配置し、前記８枚のページのページ順を時計回り、又は、反時計回りに並べるレイアウト配置部を有する
ことを特徴とする画像形成装置。
【請求項６】
請求項５に記載の画像形成装置であって、
前記上下４段、横２列の８枚のページの境界上に谷折り線、山折り線及び切り込み線を生成する境界線生成部を有し、
前記境界線生成部は、前記上下４段、横２列の８枚のページの上下両端の２段の左列と右列を分ける境界線を山折り線とし、中央の２段の左列と右列を分ける境界線を切り込み線とし、上段の２段と下段の２段を分ける中央の左右列の境界線を山折り線とし、上第１段と上第２段を分ける左右列の２つの境界線及び下第１段と下第２段を分ける左右列の２つの境界線のうち、第１ページ目の綴じ方向の境界線を山折り線とし、その他の３つの境界線を谷折り線とする
ことを特徴とする画像形成装置。
【請求項７】
請求項１から６のいずれかに記載の画像形成装置であって、
前記区画の自由な位置に余白ページを設定可能とする余白設定部を有する
ことを特徴とする画像形成装置。
【請求項８】
矩形上の用紙に上下２段、横２列の４枚のページを配置して印刷する集約印刷可能な印刷ジョブの生成機能をコンピュータに実現させるプリンタドライバであって、
前記用紙が半分の大きさの矩形に分ける第１の折り目で折り畳まれて、さらに前記第１の折り目に直交する方向の第２の折り目でもう一度半分の大きさに折り畳まれた冊子とするために、前記４枚のページを前記第１の折り目に対してページの上下方向が対向するよう配置し、前記第２の折り目を綴じ部としてページ繰り方向にページ順を並べるレイアウト配置機能をコンピュータに実現させる
ことを特徴とするプリンタドライバ。
【請求項９】
請求項８のプリンタドライバであって、
前記第１の折り目及び第２の折り目の山折り線及び谷折り線を生成して印刷する境界線生成機能をコンピュータに実現させる
ことを特徴とするプリンタドライバ。
【請求項１０】
矩形上の用紙に上下２段、横４列の８枚のページを配置して印刷する集約印刷可能な印刷ジョブの生成機能をコンピュータに実現させるプリンタドライバであって、
前記用紙が半分の大きさの上下の矩形に分ける第１の折り目で折り畳まれて、さらに前記第１の折り目に直交する方向で４等分割された冊子とするために、前記８枚のページを前記第１の折り目に対してページの上下方向が対向するよう配置し、前記８枚のページのページ順を時計回り、又は、反時計回りに並べるレイアウト配置機能をコンピュータに実現させる
ことを特徴とするプリンタドライバ。
【請求項１１】
請求項１０に記載のプリンタドライバであって、
前記上下２段、横４列の８枚のページの境界上に谷折り線、山折り線及び切り込み線を生成する境界線生成機能をコンピュータに実現させ、
前記境界線生成機能は、前記上下２段、横４列の８枚のページの左右両端の２列の上段と下段を分ける境界線を山折り線とし、中央の２列の上段と下段を分ける境界線を切り込み線とし、左列２列と右列２列を分ける中央の上下段の境界線を山折り線とし、左第１列と左第２列を分ける上下段の２つの境界線及び右第１列と右第２列を分ける上下段の２つの境界線のうち、第１ページ目の綴じ方向の境界線を山折り線とし、その他の３つの境界線を谷折り線とする
ことを特徴とするプリンタドライバ。
【請求項１２】
矩形上の用紙に上下４段、横２列の８枚のページを配置して印刷する集約印刷可能な印刷ジョブの生成機能をコンピュータに実現させるプリンタドライバであって、
前記用紙が半分の大きさの左右の矩形に分ける第１の折り目で折り畳まれて、さらに前記第１の折り目に直交する方向で４等分割された冊子とするために、前記８枚のページを前記第１の折り目の左右でページの上下方向が逆となるよう配置し、前記８枚のページのページ順を時計回り、又は、反時計回りに並べるレイアウト配置機能をコンピュータに実現させる
ことを特徴とするプリンタドライバ。
【請求項１３】
請求項１２に記載のプリンタドライバであって、
前記上下４段、横２列の８枚のページの境界上に谷折り線、山折り線及び切り込み線を生成する境界線生成機能をコンピュータに実現させ、
前記境界線生成機能は、前記上下４段、横２列の８枚のページの上下両端の２段の左列と右列を分ける境界線を山折り線とし、中央の２段の左列と右列を分ける境界線を切り込み線とし、上段の２段と下段の２段を分ける中央の左右列の境界線を山折り線とし、上第１段と上第２段を分ける左右列の２つの境界線及び下第１段と下第２段を分ける左右列の２つの境界線のうち、第１ページ目の綴じ方向の境界線を山折り線とし、その他の３つの境界線を谷折り線とする
ことを特徴とするプリンタドライバ。
【請求項１４】
請求項８から１３のいずれかに記載のプリンタドライバであって、
前記区画の自由な位置に余白ページを設定可能とする余白設定機能をコンピュータに実現させる
ことを特徴とするプリンタドライバ。
【発明の詳細な説明】
【技術分野】
【０００１】
１枚の用紙に複数のページを印刷する集約印刷が可能な画像形成装置及びプリンタドライバにおいて、集約印刷された用紙を折り畳んで冊子として用いたときに、該折り畳まれた冊子上の各区画のページの順番と上下を正しく配置して印刷を可能とする技術に関するものである。
【背景技術】
【０００２】
１枚の用紙に複数のページを印刷する集約印刷と呼ばれる方法があるが、この集約印刷された用紙を折り畳んで冊子として使おうとすると、ページの上下位置がページによって異なったり、ページの順番が正しくなかったりする問題があった。
【０００３】
従来技術として、製本印刷を行う際に印刷すべきデータを所望の順序で読み出し可能にして、印刷しようとするページ順を制御する方法がある（特許文献１参照）。
【０００４】
しかし、この方法ではページの順番を合わせる事は可能であるが、折り畳んで利用する際にページの上下が逆になってしまう問題は解消されない。
【特許文献１】特許第３７４５０８６号公報
【発明の開示】
【発明が解決しようとする課題】
【０００５】
画像形成装置及びプリンタドライバにおける集約印刷でのページ配置が用紙を折り畳んで冊子として利用するのに適しておらず、集約印刷された用紙を折り畳むと、ページの上下が正しく印刷されなかった点と、折り畳む際の折り畳み線の位置とその折り畳む方向がわからなかった点である。
【課題を解決するための手段】
【０００６】
本発明の第１の画像形成装置は、矩形上の用紙に上下２段、横２列の４枚のページを配置して印刷する集約印刷可能な画像形成装置であって、前記用紙が半分の大きさの矩形に分ける第１の折り目で折り畳まれて、さらに前記第１の折り目に直交する方向の第２の折り目でもう一度半分の大きさに折り畳まれた冊子とするために、前記４枚のページを前記第１の折り目に対してページの上下方向が対向するよう配置し、前記第２の折り目を綴じ部としてページ繰り方向にページ順を並べるレイアウト配置部を有することを特徴とする。
【０００７】
本発明の第１の画像形成装置は更に、前記第１の折り目及び第２の折り目の山折り線及び谷折り線を生成して印刷する境界線生成部を有するものであってもよい。
【０００８】
本発明の第２の画像形成装置は、矩形上の用紙に上下２段、横４列の８枚のページを配置して印刷する集約印刷可能な画像形成装置であって、前記用紙が半分の大きさの上下の矩形に分ける第１の折り目で折り畳まれて、さらに前記第１の折り目に直交する方向で４等分割された冊子とするために、前記８枚のページを前記第１の折り目に対してページの上下方向が対向するよう配置し、前記８枚のページのページ順を時計回り、又は、反時計回りに並べるレイアウト配置部を有することを特徴とする。
【０００９】
本発明の第２の画像形成装置は更に、前記上下２段、横４列の８枚のページの境界上に谷折り線、山折り線及び切り込み線を生成する境界線生成部を有するものであってもよい。
【００１０】
この場合、本発明の第２の画像形成装置の前記境界線生成部は、前記上下２段、横４列の８枚のページの左右両端の２列の上段と下段を分ける境界線を山折り線とし、中央の２列の上段と下段を分ける境界線を切り込み線とし、左列２列と右列２列を分ける中央の上下段の境界線を山折り線とし、左第１列と左第２列を分ける上下段の２つの境界線及び右第１列と右第２列を分ける上下段の２つの境界線のうち、第１ページ目の綴じ方向の境界線を山折り線とし、その他の３つの境界線を谷折り線としてもよい。
【００１１】
本発明の第３の画像形成装置は、矩形上の用紙に上下４段、横２列の８枚のページを配置して印刷する集約印刷可能な画像形成装置であって、前記用紙が半分の大きさの左右の矩形に分ける第１の折り目で折り畳まれて、さらに前記第１の折り目に直交する方向で４等分割された冊子とするために、前記８枚のページを前記第１の折り目の左右でページの上下方向が逆となるよう配置し、前記８枚のページのページ順を時計回り、又は、反時計回りに並べるレイアウト配置部を有することを最も主要な特徴とする。
【００１２】
本発明の第３の画像形成装置は更に、前記上下４段、横２列の８枚のページの境界上に谷折り線、山折り線及び切り込み線を生成する境界線生成部を有するものであってもよい。
【００１３】
この場合、本発明の第３の画像形成装置の前記境界線生成部は、前記上下４段、横２列の８枚のページの上下両端の２段の左列と右列を分ける境界線を山折り線とし、中央の２段の左列と右列を分ける境界線を切り込み線とし、上段の２段と下段の２段を分ける中央の左右列の境界線を山折り線とし、上第１段と上第２段を分ける左右列の２つの境界線及び下第１段と下第２段を分ける左右列の２つの境界線のうち、第１ページ目の綴じ方向の境界線を山折り線とし、その他の３つの境界線を谷折り線としてもよい。
【００１４】
本発明の画像形成装置は更に、前記区画の自由な位置に余白ページを設定可能とする余白設定部を有するものであってもよい。
【００１５】
本発明の第１のプリンタドライバは、矩形上の用紙に上下２段、横２列の４枚のページを配置して印刷する集約印刷可能な印刷ジョブの生成機能をコンピュータに実現させるプリンタドライバであって、前記用紙が半分の大きさの矩形に分ける第１の折り目で折り畳まれて、さらに前記第１の折り目に直交する方向の第２の折り目でもう一度半分の大きさに折り畳まれた冊子とするために、前記４枚のページを前記第１の折り目に対してページの上下方向が対向するよう配置し、前記第２の折り目を綴じ部としてページ繰り方向にページ順を並べるレイアウト配置機能をコンピュータに実現させることを特徴とする。
【００１６】
本発明の第１のプリンタドライバは、前記第１の折り目及び第２の折り目の山折り線及び谷折り線を生成して印刷する境界線生成機能をコンピュータに実現させるものであってもよい。
【００１７】
本発明の第２のプリンタドライバは、矩形上の用紙に上下２段、横４列の８枚のページを配置して印刷する集約印刷可能な印刷ジョブの生成機能をコンピュータに実現させるプリンタドライバであって、前記用紙が半分の大きさの上下の矩形に分ける第１の折り目で折り畳まれて、さらに前記第１の折り目に直交する方向で４等分割された冊子とするために、前記８枚のページを前記第１の折り目に対してページの上下方向が対向するよう配置し、前記８枚のページのページ順を時計回り、又は、反時計回りに並べるレイアウト配置機能をコンピュータに実現させることを特徴とする。
【００１８】
本発明の第２のプリンタドライバは更に、前記上下２段、横４列の８枚のページの境界上に谷折り線、山折り線及び切り込み線を生成する境界線生成機能をコンピュータに実現させるものであってもよい。
【００１９】
この場合、本発明の第２のプリンタドライバがコンピュータに実現させる前記境界線生成機能は、前記上下２段、横４列の８枚のページの左右両端の２列の上段と下段を分ける境界線を山折り線とし、中央の２列の上段と下段を分ける境界線を切り込み線とし、左列２列と右列２列を分ける中央の上下段の境界線を山折り線とし、左第１列と左第２列を分ける上下段の２つの境界線及び右第１列と右第２列を分ける上下段の２つの境界線のうち、第１ページ目の綴じ方向の境界線を山折り線とし、その他の３つの境界線を谷折り線としてもよい。
【００２０】
本発明の第３のプリンタドライバは、矩形上の用紙に上下４段、横２列の８枚のページを配置して印刷する集約印刷可能な印刷ジョブの生成機能をコンピュータに実現させるプリンタドライバであって、前記用紙が半分の大きさの左右の矩形に分ける第１の折り目で折り畳まれて、さらに前記第１の折り目に直交する方向で４等分割された冊子とするために、前記８枚のページを前記第１の折り目の左右でページの上下方向が逆となるよう配置し、前記８枚のページのページ順を時計回り、又は、反時計回りに並べるレイアウト配置機能をコンピュータに実現させることを特徴とする。
【００２１】
本発明の第３のプリンタドライバは更に、前記上下４段、横２列の８枚のページの境界上に谷折り線、山折り線及び切り込み線を生成する境界線生成機能をコンピュータに実現させるものであってもよい。
【００２２】
この場合、本発明の第３のプリンタドライバがコンピュータに実現させる前記境界線生成機能は、前記上下４段、横２列の８枚のページの上下両端の２段の左列と右列を分ける境界線を山折り線とし、中央の２段の左列と右列を分ける境界線を切り込み線とし、上段の２段と下段の２段を分ける中央の左右列の境界線を山折り線とし、上第１段と上第２段を分ける左右列の２つの境界線及び下第１段と下第２段を分ける左右列の２つの境界線のうち、第１ページ目の綴じ方向の境界線を山折り線とし、その他の３つの境界線を谷折り線としてもよい。
【００２３】
本発明のプリンタドライバは更に、前記区画の自由な位置に余白ページを設定可能とする余白設定機能をコンピュータに実現させるものであってもよい。
【発明の効果】
【００２４】
本発明の第１の画像形成装置は、矩形上の用紙に上下２段、横２列の４枚のページを配置して印刷する集約印刷可能な画像形成装置であって、前記用紙が半分の大きさの矩形に分ける第１の折り目で折り畳まれて、さらに前記第１の折り目に直交する方向の第２の折り目でもう一度半分の大きさに折り畳まれた冊子とするために、前記４枚のページを前記第１の折り目に対してページの上下方向が対向するよう配置し、前記第２の折り目を綴じ部としてページ繰り方向にページ順を並べるレイアウト配置部を有することを特徴とするため、１ページを上下２段、左右２列の４区画に折り畳んで利用する冊子のページ順とページの上下方向を正しく印刷することが可能である。
【００２５】
本発明の第１の画像形成装置は更に、前記第１の折り目及び第２の折り目の山折り線及び谷折り線を生成して印刷する境界線生成部を有する場合、１ページを上下２段左右２列の４区画に折り畳んで利用する冊子の折込位置と折込方向を表示させることが可能となる。
【００２６】
本発明の第２の画像形成装置は、矩形上の用紙に上下２段、横４列の８枚のページを配置して印刷する集約印刷可能な画像形成装置であって、前記用紙が半分の大きさの上下の矩形に分ける第１の折り目で折り畳まれて、さらに前記第１の折り目に直交する方向で４等分割された冊子とするために、前記８枚のページを前記第１の折り目に対してページの上下方向が対向するよう配置し、前記８枚のページのページ順を時計回り、又は、反時計回りに並べるレイアウト配置部を有することを特徴とするため、１ページを上下２段、横４列の８区画に折り畳んで利用する冊子のページ順とページの上下方向を正しく印刷することが可能である。
【００２７】
本発明の第２の画像形成装置は更に、前記上下２段、横４列の８枚のページの境界上に谷折り線、山折り線及び切り込み線を生成する境界線生成部を有する場合、１ページを上下２段、横４列の８区画に折り畳んで利用する冊子の折込位置、折込方向及び切り込み位置を表示させることが可能となる。
【００２８】
この場合、本発明の第２の画像形成装置の前記境界線生成部は、前記上下２段、横４列の８枚のページの左右両端の２列の上段と下段を分ける境界線を山折り線とし、中央の２列の上段と下段を分ける境界線を切り込み線とし、左列２列と右列２列を分ける中央の上下段の境界線を山折り線とし、左第１列と左第２列を分ける上下段の２つの境界線及び右第１列と右第２列を分ける上下段の２つの境界線のうち、第１ページ目の綴じ方向の境界線を山折り線とし、その他の３つの境界線を谷折り線とすれば、１ページを上下２段、横４列の８区画に折り畳んで利用する冊子の折込位置、折込方向及び切り込み位置を表示させることが可能となる。
【００２９】
本発明の第３の画像形成装置は、矩形上の用紙に上下４段、横２列の８枚のページを配置して印刷する集約印刷可能な画像形成装置であって、前記用紙が半分の大きさの左右の矩形に分ける第１の折り目で折り畳まれて、さらに前記第１の折り目に直交する方向で４等分割された冊子とするために、前記８枚のページを前記第１の折り目の左右でページの上下方向が逆となるよう配置し、前記８枚のページのページ順を時計回り、又は、反時計回りに並べるレイアウト配置部を有することを特徴とするため、１ページを上下４段、横２列の８区画に折り畳んで利用する冊子のページ順とページの上下方向を正しく印刷することが可能である。
【００３０】
本発明の第３の画像形成装置は更に、前記上下４段、横２列の８枚のページの境界上に谷折り線、山折り線及び切り込み線を生成する境界線生成部を有する場合、１ページを上下４段、横２列の８区画に折り畳んで利用する冊子の折込位置、折込方向及び切り込み位置を表示させることが可能となる。
【００３１】
この場合、本発明の第３の画像形成装置の前記境界線生成部は、前記上下４段、横２列の８枚のページの上下両端の２段の左列と右列を分ける境界線を山折り線とし、中央の２段の左列と右列を分ける境界線を切り込み線とし、上段の２段と下段の２段を分ける中央の左右列の境界線を山折り線とし、上第１段と上第２段を分ける左右列の２つの境界線及び下第１段と下第２段を分ける左右列の２つの境界線のうち、第１ページ目の綴じ方向の境界線を山折り線とし、その他の３つの境界線を谷折り線とすれば、１ページを上下２段、横４列の８区画に折り畳んで利用する冊子の折込位置、折込方向及び切り込み位置を表示させることが可能となる。
【００３２】
本発明の画像形成装置は、前記区画の自由な位置に余白ページを設定可能とする余白設定部を有する場合、ページの一部を余白ページと設定することが可能となり、例えば常に裏表紙にはページを設定し、その間に余白を挿入することが可能となる。
【００３３】
本発明の第１のプリンタドライバは、矩形上の用紙に上下２段、横２列の４枚のページを配置して印刷する集約印刷可能な印刷ジョブの生成機能をコンピュータに実現させるプリンタドライバであって、前記用紙が半分の大きさの矩形に分ける第１の折り目で折り畳まれて、さらに前記第１の折り目に直交する方向の第２の折り目でもう一度半分の大きさに折り畳まれた冊子とするために、前記４枚のページを前記第１の折り目に対してページの上下方向が対向するよう配置し、前記第２の折り目を綴じ部としてページ繰り方向にページ順を並べるレイアウト配置機能をコンピュータに実現させることを特徴とするため、１ページを上下２段、左右２列の４区画に折り畳んで利用する冊子のページ順とページの上下方向を正しく印刷することが可能である。
【００３４】
本発明の第１のプリンタドライバは、前記第１の折り目及び第２の折り目の山折り線及び谷折り線を生成して印刷する境界線生成機能をコンピュータに実現させることを主要な特徴とする場合、１ページを上下２段左右２列の４区画に折り畳んで利用する冊子の折込位置と折込方向を表示させることが可能となる。
【００３５】
本発明の第２のプリンタドライバは、矩形上の用紙に上下２段、横４列の８枚のページを配置して印刷する集約印刷可能な印刷ジョブの生成機能をコンピュータに実現させるプリンタドライバであって、前記用紙が半分の大きさの上下の矩形に分ける第１の折り目で折り畳まれて、さらに前記第１の折り目に直交する方向で４等分割された冊子とするために、前記８枚のページを前記第１の折り目に対してページの上下方向が対向するよう配置し、前記８枚のページのページ順を時計回り、又は、反時計回りに並べるレイアウト配置機能をコンピュータに実現させることを特徴とするため、１ページを上下２段、横４列の８区画に折り畳んで利用する冊子のページ順とページの上下方向を正しく印刷することが可能である。
【００３６】
本発明の第２のプリンタドライバは更に、前記上下２段、横４列の８枚のページの境界上に谷折り線、山折り線及び切り込み線を生成する境界線生成機能をコンピュータに実現させる場合、１ページを上下２段、横４列の８区画に折り畳んで利用する冊子の折込位置、折込方向及び切り込み位置を表示させることが可能となる。
【００３７】
この場合、本発明の第２のプリンタドライバがコンピュータに実現させる前記境界線生成機能は、前記上下２段、横４列の８枚のページの左右両端の２列の上段と下段を分ける境界線を山折り線とし、中央の２列の上段と下段を分ける境界線を切り込み線とし、左列２列と右列２列を分ける中央の上下段の境界線を山折り線とし、左第１列と左第２列を分ける上下段の２つの境界線及び右第１列と右第２列を分ける上下段の２つの境界線のうち、第１ページ目の綴じ方向の境界線を山折り線とし、その他の３つの境界線を谷折り線とすれば、１ページを上下２段、横４列の８区画に折り畳んで利用する冊子の折込位置、折込方向及び切り込み位置を表示させることが可能となる。
【００３８】
本発明の第３のプリンタドライバは、矩形上の用紙に上下４段、横２列の８枚のページを配置して印刷する集約印刷可能な印刷ジョブの生成機能をコンピュータに実現させるプリンタドライバであって、前記用紙が半分の大きさの左右の矩形に分ける第１の折り目で折り畳まれて、さらに前記第１の折り目に直交する方向で４等分割された冊子とするために、前記８枚のページを前記第１の折り目の左右でページの上下方向が逆となるよう配置し、前記８枚のページのページ順を時計回り、又は、反時計回りに並べるレイアウト配置機能をコンピュータに実現させることを特徴とするため、１ページを上下４段、横２列の８区画に折り畳んで利用する冊子のページ順とページの上下方向を正しく印刷することが可能である。
【００３９】
本発明の第３のプリンタドライバは更に、前記上下４段、横２列の８枚のページの境界上に谷折り線、山折り線及び切り込み線を生成する境界線生成機能をコンピュータに実現させる場合、１ページを上下４段、横２列の８区画に折り畳んで利用する冊子の折込位置、折込方向及び切り込み位置を表示させることが可能となる。
【００４０】
この場合、本発明の第３のプリンタドライバがコンピュータに実現させる前記境界線生成機能は、前記上下４段、横２列の８枚のページの上下両端の２段の左列と右列を分ける境界線を山折り線とし、中央の２段の左列と右列を分ける境界線を切り込み線とし、上段の２段と下段の２段を分ける中央の左右列の境界線を山折り線とし、上第１段と上第２段を分ける左右列の２つの境界線及び下第１段と下第２段を分ける左右列の２つの境界線のうち、第１ページ目の綴じ方向の境界線を山折り線とし、その他の３つの境界線を谷折り線とすれば、１ページを上下２段、横４列の８区画に折り畳んで利用する冊子の折込位置、折込方向及び切り込み位置を表示させることが可能となる。
【００４１】
本発明のプリンタドライバは更に、前記区画の自由な位置に余白ページを設定可能とする余白設定機能をコンピュータに実現させる場合、ページの一部を余白ページと設定することが可能となり、例えば常に裏表紙にはページを設定し、その間に余白を挿入することが可能となる。
【発明を実施するための最良の形態】
【００４２】
集約印刷が可能な画像形成装置及びプリンタドライバにおいて、折り畳んで利用する冊子では、ページの上下方向やページ順序が正しく配置されないという問題点を折り畳み冊子に適してページの上下方向を正しく配置し、ページ順に並べて配置するレイアウト配置部を備え、さらに境界線の折り目方向又は切り込みに適して、谷折り線、山折り線及び切り込み線を生成する境界線生成部を備えることにより解決した。
【実施例】
【００４３】
折り畳み冊子にしたときに正しいページ順と上下方向となるように集約印刷可能な本発明実施例の画像形成装置及びプリンタドライバについて以下に説明する。
【００４４】
本実施例の画像形成装置及びプリンタドライバによって行われる折り畳み冊子に適する集約印刷を折り畳み集約印刷と呼ぶ。
【００４５】
［折り畳み冊子、折り畳み集約印刷について］
図１（Ａ）に示すように１枚の用紙を上下２段左右２列の４区画に分割し、各区画に図１（Ａ）に示すような右下の区画を第１ページとして反時計回りに上段は上下逆方向、下段は上下正方向のページ順序と上下方向で印刷すると、図１（Ｂ）に示すように折り畳んで冊子としたときのページの上下方向とページ順序は正しく並ぶ。
【００４６】
通常の集約印刷では、ページの配置は図１（Ａ）に示すような反時計回りに配置されたり、ページの上下方向が上段と下段で異なるような配置はされず、例えば横書きであれば、左上、右上、左下、右下のように配置されるだけであるが、本実施例の画像形成装置及びプリンタドライバプログラムでは、折り畳み冊子に対応した図１（Ａ）に示す折り畳み集約印刷のためのページ順及びページの上下方向の配置が可能である。
【００４７】
また、折り畳む際の境界線を山折りの場合は１点鎖線で、谷折りの場合は破線で印刷する。利用者は、この境界線に従い用紙を折ると正しく折り畳み冊子を完成することができる（図１（Ｂ））。
【００４８】
折り畳み冊子は、さらに図２に示す８区画に分割した場合もある。
【００４９】
図２（Ａ）に示すように１枚の用紙を上下２段、左右４列の８区画に分割し、右下の区画を１ページにして、反時計回りに上段を上下逆方向、下段を上下正方向に印刷する。
【００５０】
上下段の境界線の４区画のうち、中心の２区画に切り込みを入れて、図２（Ａ）に示した折込線に従って折ると、図２（Ｂ）の形を経て、図２（Ｃ）の８ページの冊子ができあがる。
【００５１】
上記図１で示したのは４区画の際のページ配置の１例であるが、その他の例を図３に示す。
【００５２】
図３（Ａ）４区画で左綴じで折り目が上にあり、下側が開いている場合の配置である。
【００５３】
図３（Ｂ）４区画で右綴じで折り目が上にあり、下側が開いている場合の配置である。
【００５４】
図３（Ｃ）４区画で左綴じで折り目が下にあり、上側が開いている場合の配置である。
【００５５】
図３（Ｄ）４区画で右綴じで折り目が下にあり、上側が開いている場合の配置である。
【００５６】
上記全ての場合で、折込線の配置は同じであり、上段と下段の境界線を山折り線とし、上段の左列と右列の境界線を谷折り線とし、下段の左列と右列の境界線を山折り線とする。
【００５７】
次に図２で示した８区画の他の例について説明する。
【００５８】
図４（Ａ）８区画で左綴じ最右の下段の区画が第１ページであり、反時計回りにページが配置され、下段はページの上下正方向、上段はページの上下逆方向、折り目が上部にありページの下側が開いている。
【００５９】
図４（Ｂ）８区画で左綴じ左から２列目の下段の区画が第１ページであり、反時計回りにページが配置され、下段はページの上下正方向、上段はページの上下逆方向、折り目が上部にあり、ページの下側が開いている。
【００６０】
図４（Ｃ）８区画で左綴じ最左の下段の区画が第１ページであり、反時計回りにページが配置され、上段はページの上下正方向、下段はページの上下逆方向、折り目が下部にあり、ページの上側が開いている。
【００６１】
図４（Ｄ）８区画で左綴じ右から２列目の下段の区画が第１ページであり、反時計回りにページが配置され、上段はページの上下正方向、下段はページの上下逆方向、折り目が下部にあり、ページの上側が開いている。
【００６２】
図４（Ｅ）８区画で右綴じ最左の下段の区画が第１ページであり、時計回りにページが配置され、下段はページの上下正方向、上段はページの上下逆方向、折り目が上部にあり、ページの下側が開いている。
【００６３】
図４（Ｆ）８区画で右綴じ右から２列目の下段の区画が第１ページであり、時計回りにページが配置され、下段はページの上下正方向、上段はページの上下逆方向、折り目が上部にあり、ページの下側が開いている。
【００６４】
図４（Ｇ）８区画で右綴じ最右の下段の区画が第１ページであり、時計回りにページが配置され、上段はページの上下正方向、下段はページの上下逆方向、折り目が下部にあり、ページの上側が開いている。
【００６５】
図４（Ｈ）８区画で右綴じ左から２列目の下段の区画が第１ページであり、時計回りにページが配置され、上段はページの上下正方向、下段はページの上下逆方向、折り目が下部にあり、ページの上側が開いている。
【００６６】
図４での境界線は、上段と下段を分ける両端の２区画を山折り線とし、上段と下段を分ける中央の２区画を切り込み線とし、左右の中央の境界を山折り線とし、左１列と２列の上下段の境界及び右１列と右２列の上下段の４つの境界のうち、第１ページの綴じ方向の境界を山折り線とし、その他の３つの境界を谷折り線とする。
【００６７】
また、８区画の変化形として、図５（Ｉ）に示す、縦置きに紙を配置したときに上下２段、左右４列に分割して縦長の構造とした場合にも応用可能である。この場合でも、前記図４に示した８通りの配列に呼応するが、その図と説明は各区画の形状が異なる以外は同じなので省略する。
【００６８】
また、さらに８区画の変化形として、図５（Ｊ）に示す、縦置きに紙を配置したときの左右２列、上下４段の場合にも応用可能のである。この場合にも同じく前記図４に示した８通りの配列に呼応するが、その図と説明は省略する。
【００６９】
［構成］
図６は、本発明の実施例に係わる画像形成装置及びプリンタドライバの機能ブロック図である。
【００７０】
画像形成装置１０１は、操作部１１１、表示部１１３、印刷部１１５、インタフェース部１１７、ソフトウェア機能部１２１、レイアウト設定部１２３、レイアウト配置部１２５、境界線生成部１２７、余白設定部１２９、プレビュー部１３１、画像処理部１３３の各機能ブロックを有する。
【００７１】
ホストコンピュータ２０１は、プリンタドライバ２２１を有し、プリンタドライバ２２１は、レイアウト設定部２２３、レイアウト配置部２２５、境界線生成部２２７、余白設定部２２９、プレビュー部２３１、画像処理部２３３の各機能ブロックを有する。
【００７２】
以下に各機能ブロックについて説明する。
【００７３】
操作部１１１は、画像形成装置１０１の操作を入力する機能部であると共に折り畳み集約印刷の設定入力の操作が可能である。
【００７４】
表示部１１３は、液晶パネル等により構成され、画像形成装置の装置状態の表示と、操作部１１１からの操作入力の際の表示、及びプレビュー画面を表示する。
【００７５】
印刷部１１５は、印刷を行う機能部である。本発明の特徴である折り畳み冊子に対応した集約印刷のためのページ配列、ページ順に従って生成された各ページの画像及び境界線は、本印刷部１１５によって印刷される。
【００７６】
インタフェース部１１７は、画像形成装置１０１とホストコンピュータ２０１とを接続する機能部である。ホストコンピュータ２０１からの印刷ジョブをインタフェース部１１７で受取り印刷部１１５で印刷を行う。
【００７７】
ソフトウェア機能部１２１は、画像形成装置１０１の各機能をソフトウェアによって実現する機能部である。ソフトウェア機能部１２１は、レイアウト設定部１２３、レイアウト配置部１２５、境界線生成部１２７、余白設定部１２９、プレビュー部１３１及び画像処理部１３３を有する。
【００７８】
レイアウト設定部１２３は、本画像形成装置の特徴である折り畳み集約印刷の設定を受け付ける機能部である。折り畳み集約印刷が何区画に分割したものであるか、左綴じであるか、右綴じであるか、第１ページの配置はどこにするか、ページ配列はどのようにするか、境界線は印刷するか、余白はどこに設定するか、ページ番号を挿入するかなどについてユーザからの入力を受け付けて設定する。
【００７９】
レイアウト設定は、２つの部分に分かれる。１つは、１枚の用紙内におけるレイアウト設定であり、もう１つは文書全体におけるレイアウト設定である。１枚の用紙内におけるレイアウト設定に関しては設定が変更されると、その設定内容に対応するパターンがパターン表示部に表示される。
【００８０】
レイアウト配置部１２５は、レイアウト設定部１２３で受け付けた折り畳み集約印刷のレイアウト設定に基づいて、ページの順番の配置、ページの上下方向の配置を行う。
【００８１】
ページの配置は、１枚の用紙を上下２段、左右２列の等面積の４区画に分割し、左綴じの場合に右下の区画を第１ページとして反時計回りにページを配置し、右綴じの場合に左下の区画を第１ページとして時計回りにページを配置し、左綴じ及び右綴じのいずれの場合も下段の２区画のページの上下は正常に、上段の２区画のページは上下を逆になるように配置するか、又は、左綴じの場合に左下の区画を第１ページとして時計回りにページを配置し、右綴じの場合に右下の区画を第１ページとして反時計回りにページを配置し、左綴じ及び右綴じのいずれの場合も上段の２区画のページの上下は正常に、下段の２区画のページは上下を逆になるように配置する。
【００８２】
また、ページの配置は、１枚の用紙を上下２段、左右４列の等面積の８区画に分割し、左綴じの場合に下段最右列の区画又は下段左から２列目の区画を第１ページとして反時計回りにページを配置し、右綴じの場合に下段最左列の区画又は下段右から２列目の区画を第１ページとして時計回りにページを配置し、左綴じ及び右綴じのいずれの場合も下段の４区画のページの上下は正常に、上段の４区画のページは上下を逆になるように配置するか、又は、左綴じの場合に下段最左列の区画又は下段右から２列目の区画を第１ページとして時計回りにページを配置し、右綴じの場合に下段最右列の区画又は下段左から２列目の区画を第１ページとして反時計回りにページを配置し、左綴じ及び右綴じのいずれの場合も上段の４区画のページの上下は正常に、下段の４区画のページは上下を逆になるように配置する。
【００８３】
境界線生成部１２７は、レイアウト設定部１２３において、境界線の生成を行うと設定された場合に、折り畳み集約印刷の各区画の境界線に、谷折り線、山折り線及び切り込み線を生成する。生成された境界線は、画像処理部１３３によりレイアウト配置部１２３が配置したページ画像と合成され、印刷部１１５によって印刷される。
【００８４】
境界線の表示には、山折り線を一点鎖線、谷折り線を破線、切り込み線を実線として表示してもよいし、文字により例えば＜山折り線＞のように表記しても良いし、前記した一点鎖線などの表記と文字とを組み合わせても良い。
【００８５】
境界線を入れると設定した場合には、折畳み方法の説明も印刷するとしても良い。説明は文章であってもよいし、図解であってもよい。
【００８６】
境界線は、１枚の用紙を上下２段、左右２列の等面積の４区画に分割し、第１ページが下段の左右どちらかの列に有る場合は、上段と下段の境界線を山折り線とし、上段の左列と右列の境界線を谷折り線とし、下段の左列と右列の境界線を山折り線とする。
【００８７】
また、境界線は、１枚の用紙を上下２段、左右４列の等面積の８区画に分割し場合に、上段と下段を分ける両端の２区画を山折り線とし、上段と下段を分ける中央の２区画を切り込み線とし、左右の中央の境界を山折り線とし、左１列と２列の上下段の境界及び右１列と右２列の上下段の４つの境界のうち、１ページの正方向の綴じ方向の境界を山折り線とし、その他の３つの境界を谷折り線とする。
【００８８】
余白設定部１２９は、折畳む場合、集約ページ数がＮの場合に、全ページ数がＮの倍数と一致しないと、最終印字の何ページかが空白ページとなる。本機能部は、それを避けるために設けられた機能である。余白ページを設定すると、最終印字ページに原稿の最後のページがくるように、その間に空白ページが挿入される。挿入される空白ページについては、空白ページを含めた総ページ数が最小のＮの倍数になるように設定される。（図９（Ｂ）に余白を埋め込んだ例を表示；余白ページ７３）
上記の設定の他に、最終ページを余白ページと設定したり、その他自由な位置の区画を余白ページと設定する方法が可能であっても良い。
【００８９】
余白設定部１２９で設定された余白を含んだページが、レイアウト配置部１２５によって折り畳み集約印刷として配置される。
【００９０】
プレビュー部１３１は、設定した値に対して、プレビューを作成し表示する機能部である。１枚の用紙を折らずに広げた状態と、１枚の用紙を集約パターンに当てはめてみた状態の両方を切り替えて表示する。またプリンタドライバからの操作の際には、設定を保持したまま、アプリケーションの編集画面に戻ることも可能である。図９（Ｂ）にプレビュー画面の一例を示す。
【００９１】
画像処理部１３３は、上記レイアウト配置部１２５で配置されたページレイアウトに沿って原稿画像をページ単位で挿入し、境界線生成部１２７で生成された境界線と合成して、印刷部１１５で印刷可能なデータ形式で印刷データを生成する機能部である。
【００９２】
ホストコンピュータ２０１は、画像形成装置で印刷を行うための印刷ジョブを生成する。折り畳み集約印刷機能は、上記説明のように画像形成装置単体で行うことも可能であるが、ホストコンピュータ２０１上のプリンタドライバで生成することも可能である。
【００９３】
プリンタドライバ２２１は、画像形成装置１０１で印刷を行うための印刷ジョブを生成する機能をホストコンピュータに実現させるためのプログラムである。
【００９４】
プリンタドライバ２２１は、上記画像形成装置１０１の各機能部で説明した、レイアウト設定部１２３、レイアウト配置部１２５、境界線生成部１２７、余白設定部１２９、プレビュー部１３１、画像処理部１３３にそれぞれ呼応するレイアウト設定部２２３、レイアウト配置部２２５、境界線生成部２２７、余白設定部２２９、プレビュー部２３１、画像処理部２３３を有しており、その機能は両者で同一である。よってプリンタドライバの各機能部の説明は省略する。
【００９５】
［フローチャート］
図７及び図８のフローチャートを用いて動作の流れについて説明する。
【００９６】
以下の説明では、ホストコンピュータ上のレイアウト設定部２２３、レイアウト配置部２２５、境界線生成部２２７、余白設定部２２９、プレビュー部２３１、画像処理部２３３の各機能部で動作が行われる場合について説明するが、本動作は、画像形成装置のそれぞれ呼応する機能部が行って画像形成装置単体で行われることであっても良い。
【００９７】
Ｓ１１：ホストコンピュータ２０１のプリンタドライバ２２１が起動すると図９（Ａ）に示すプリンタドライバ２２１の設定画面が表示され、その折り畳み集約タブが選択されて、折り畳み集約印刷の設定動作を開始する。この設定はレイアウト設定部２２３が受け付ける。
【００９８】
なお、本実施例では、折り畳み集約印刷のデフォルト値が予め設定されているものとする。このデフォルト値は、例えば、図９（Ａ）に示す通り、１シートのページ数（集約ページ数）が４、左綴じ、境界線印刷しない、原稿ページ番号の印刷をしない、原稿ページ数の調整をする、に設定されている。
【００９９】
Ｓ１３：ループ１は、図９（Ａ）のＯＫボタン又はキャンセルボタンが押されるまでループを繰り返す。
【０１００】
Ｓ１９：１シートのページ数、すなわち１枚の用紙に印刷する原稿のページ数である集約ページ数の設定ボタンが選択された場合は、Ｓ２１に移行する。そうでなければＳ２３に移行する。
【０１０１】
Ｓ２１：集約ページ数の設定が行われる。詳細には、まず、ユーザが図９（Ａ）の「１シートのページ数」（４又は８）を選択すると、レイアウト設定部２２３は、選択されたページ数を集約ページ数として受け付ける。次いで、レイアウト設定部２２３は、集約ページ数を印刷条件として設定し、Ｓ３９へ移行する。
【０１０２】
Ｓ２３：ページ番号表示の設定が選択された場合は、Ｓ２５に移行する。そうでなければＳ２７に移行する。
【０１０３】
Ｓ２５：ページ番号表示の設定が行われる。詳細には、まず、ユーザが図９（Ａ）の「原稿のページ番号の印刷」をチェックすると、レイアウト設定部２２３は、原稿のデータを解析して、ヘッダ又はフッタにページ番号が設定されているか否かを判定する。ページレイアウト設定部２２３が、ページ番号が既に設定済と判定すれば、Ｓ２５の処理を終了し、Ｓ１３へ移行する。この場合、上記の「原稿ページ番号の印刷」のチェックは無視され、原稿データに付加されているページ番号が印刷されることになる。レイアウト設定部２２３が、ページ番号が設定されていないと判定すれば、ページ番号を原稿の１ページ目から順に割り振って印刷条件として設定し、Ｓ３９へ移行する。
【０１０４】
なお、「原稿のページ番号の印刷」にチェックが付いていない場合でも、原稿のデータにページ番号が設定されていれば、原稿のページ番号が印刷されることになる。
【０１０５】
Ｓ２７：綴じの方向が選択された場合は、Ｓ２９に移行する。そうでなければＳ３１に移行する。
【０１０６】
Ｓ２９：綴じの方向の設定が行われる。詳細には、まず、ユーザが図９（Ａ）の「綴じの方向」を選択すると、レイアウト設定部２２３は、選択された方向を折り畳み集約印刷の綴じ方向として受付ける。次いで、レイアウト設定部２２３は、綴じ方向を印刷条件として設定し、Ｓ３９へ移行する。
【０１０７】
Ｓ３１：折り畳みの際の境界線の設定が選択された場合は、Ｓ３３に移行する。そうでなければＳ３５に移行する。
【０１０８】
Ｓ３３：境界線の設定が行われる。詳細には、まず、ユーザが図９（Ａ）の「境界線を印刷」をチェックすると、境界線生成部２２７は、集約ページ数及び綴じ方向に応じて、上記で図２〜図４を用いて説明した通りに境界線を決定する。レイアウト設定部１２３は、境界線生成部２２７が決定した境界線を印刷条件として設定し、Ｓ３９へ移行する。
【０１０９】
Ｓ３５：印刷ページ数調整の設定が選択された場合は、Ｓ３７に移行する。そうでなければＳ３９に移行する。
【０１１０】
Ｓ３７：印刷ページ数調整の設定が行われる。詳細には、まず、ユーザが図９（Ａ）の「原稿ページ番号の印刷」をチェックすると、余白設定部２２９は、原稿ページ数が、集約ページ数（図９（Ａ）の例では４）の倍数であるか否かを判定する。余白設定部２２９は、原稿ページ数が集約ページ数の倍数であると判定すれば、Ｓ３７の処理を終了し、Ｓ３９へ移行する。余白設定部２２９は、原稿ページ数が集約ページ数の倍数でないと判定した場合、原稿の最終ページと最後から２ページ目との間に空白ページを何ページ挿入すれば原稿ページ数が集約ページ数の倍数となるかを算出する。ここで、余白設定部２２９は、最小の空白ページ数を算出することが好ましい。次いで、レイアウト設定部２２３は、予約設定部２２９が算出した空白ページ数を、印刷条件として設定する。
【０１１１】
Ｓ３９：折り畳み集約の組み合わせパターン（図９（Ａ）７１）を表示してＳ４１へ移行する。詳細には、まず、レイアウト配置部２２５は、レイアウト設定部２２３が設定した印刷条件（集約ページ数、綴じ方向）に沿って折り畳み集約印刷の１ページ目（１枚目）のページレイアウトを生成する。プレビュー部２３１は、レイアウト配置部２２５が生成したページレイアウトと綴じ方向を、図９（Ａ）に示す折り畳み集約印刷の組み合わせパターン７１として表示する。
【０１１２】
Ｓ４１：原稿プレビューボタンが選択された場合にはＳ４３に動作を移行する。選択されなかった場合には、画像処理部２３３が印刷データを生成して、動作をＳ５９に移行する。印刷データの生成の詳細は、まず、まず、レイアウト配置部２２５は、レイアウト設定部２２３が設定した印刷条件（集約ページ数、綴じ方向、空白ページ設定）に沿って折り畳み集約印刷の各ページ（各用紙）のページレイアウトを生成する。更に、境界線生成部２２７は、レイアウト設定部２２３が設定した印刷条件（境界線）に沿って折り畳み集約印刷の各ページ（各用紙）の境界線を生成する。次いで、画像処理部２３３は、レイアウト配置部２２５が生成したページレイアウトに沿って、原稿ページの画像を挿入し、境界線生成部２２７が生成した境界線を合成して印刷データを生成する。ここで、印刷データはページ記述言語によるもの、ＰＤＦ（Portable Document Format）ファイル、ビットマップデータ等、画像形成装置１０１が印刷可能に対応しているファイル形式であればよい。
【０１１３】
Ｓ４３：プレビュー部２３１は、プレビューを表示して（図９（Ｂ））、Ｓ４５へ移行する。詳細には、プレビュー部２３１は、画像処理部２３３が合成した印刷データをプレビュー用に縮小されたビットマップデータに変換して、図９（Ｂ）のように最初の２ページをプレビュー表示する。
【０１１４】
Ｓ４５：プレビュー画面（図９）の閉じるボタンが押されるまでループ２を繰り返す。閉じるボタンが押されると、画像処理部２３３は、Ｓ４１と同様にして、後述する原稿データの編集（Ｓ５３）及び余白設定（Ｓ５７）で変更された印刷条件に沿った印刷データを生成する。
【０１１５】
Ｓ４７：表示の切替ボタン（前のページ、次のページ、拡大、縮小、切替）が選択された場合には動作をＳ４９に移行する。そうで無い場合は動作をＳ５１に移行する。
【０１１６】
Ｓ４９：プレビュー部２３１は、選択された表示の切替ボタンに従って表示の切替動作を行って、ループ２の終端へ移行する。
【０１１７】
Ｓ５１：原稿データの編集が選択されたかどうかを選択する。選択された場合は動作をＳ５３に移行する。選択されなかった場合は動作をＳ５５に移行する。
【０１１８】
Ｓ５３：原稿データの編集を行って、ループ２の終端へ移行する。詳細には、まず、プリンタドライバ２２１は原稿編集用のアプリケーションを呼び出し、原稿データをこのアプリケーションに引き渡す。ユーザが原稿を編集し、前記アプリケーション上で保存操作を行なうと、前記アプリケーションはプリンタドライバ２２１へ編集後の原稿データを引き渡す。次いで、プレビュー部２３１は、Ｓ４３と同様にして、編集後の原稿データを基に、印刷条件の設定に沿ったプレビュー表示を行なう。
【０１１９】
Ｓ５５：余白設定の選択がされたかどうかを判断する。選択された場合は動作をＳ５７に移行する。選択されなかった場合は動作をループ２の終端に移行する。
【０１２０】
Ｓ５７：余白設定を行って、ループ２の終端へ移行する。詳細には、まず、余白設定部２２９は、空白ページが挿入されている（空白ページ挿入後の）原稿のページ番号を表示する。ユーザが表示されているページ番号を変更すると、余白設定部２２９は、変更前のページ番号の空白ページを変更後のページ番号に変更し、更に変更前のページ番号と変更後のページ番号との間にある原稿ページ（空白ページ含む。）を１ページ後のページ番号に変更する。レイアウト設定部２２３は、変更されたページ番号を印刷条件として設定して、空白ページのページ番号表示を消去する。
【０１２１】
Ｓ５９：試し印刷ボタンが押されたかどうかを判断する。試し印刷が押された場合は動作をＳ６１に移行する。そうでなければ動作をループ１の終端に移行する。
【０１２２】
Ｓ６１：プリンタドライバ２２１は、画像処理部２３３が生成した印刷データを画像形成装置１０１へ送信する。次いで、画像形成装置１０１はインタフェース部１１７を介して受信した印刷データを印刷部１１５へ引き渡し、印刷部１１５は、試し印刷のため最初の一部（例えば折り畳み集約印刷の１ページ目）のみを印刷する。
【０１２３】
Ｓ６３：印刷ボタンが押されたかどうかを判断する。押された場合は動作をＳ６５に移行する。そうでなければ動作を終了する。
【０１２４】
Ｓ６５：プリンタドライバ２２１は、画像処理部２３３が生成した印刷データを画像形成装置１０１へ送信する。次いで、画像形成装置１０１はインタフェース部１１７を介して受信した印刷データを印刷部１１５へ引き渡し、印刷部１１５は印刷データを印刷する。このことにより、これまで設定された折り畳み集約印刷の設定による印刷が行われる。
【０１２５】
なお、上記実施例においては、折り畳み冊子が下開きか上開きかは、レイアウト配置部２２３又は１２３に予め設定されておりユーザが選択できないようになっている。すなわち、集約ページ数及び綴じ方向（左右）の設定により、図３（Ａ）〜（Ｄ）及び図４（Ａ）〜（Ｈ）の中からいずれの態様を採るかは予め決められている。更に、印刷用紙の向き（縦）、綴じ方向（上下）によっては、図５（Ｉ）〜（Ｊ）の類型からいずれの態様を採るかが予め決められている。
【０１２６】
本発明では上記実施例に限定されず、折り畳み冊子が下開きか上開きか（綴じ方向が左又は右の場合）、右開きか左開きか（綴じ方向が上又は下の場合）、印刷用紙の向きについても、ユーザが選択できるようにしてもよい。
【０１２７】
［実施例の効果］
本発明実施例の画像形成装置及びプリンタドライバにより、折り畳み冊子での集約印刷が可能となった。
【０１２８】
折り畳み冊子の折り畳み境界線についての、山折り、谷折り、切り込みなどの指示を同時に印刷することが可能となった。
【０１２９】
プリンタドライバ単独でも、上記折り畳み冊子への集約印刷及び境界線の印刷が可能となった。
【図面の簡単な説明】
【０１３０】
【図１】４区画の折り畳み集約印刷の説明図である。
【図２】８区画の折り畳み集約印刷の説明図である。
【図３】４区画の折り畳み集約印刷のパターン例である。
【図４】８区画の折り畳み集約印刷のパターン例である。
【図５】８区画の折り畳み集約印刷のパターン例の変化形である。
【図６】本発明実施例の画像形成装置及びプリンタドライバの機能ブロック図である。
【図７】本発明実施例の画像形成装置及びプリンタドライバのフローチャート１である。
【図８】本発明実施例の画像形成装置及びプリンタドライバのフローチャート２である。
【図９】本発明実施例の画像形成装置及びプリンタドライバの設定画面（Ａ）及びプレビュー画面（Ｂ）である。
【符号の説明】
【０１３１】
１０１  画像形成装置
１１１  操作部
１１３  表示部
１１５  印刷部
１１７  インタフェース部
１２１  ソフトウェア機能部
１２３  レイアウト設定部
１２５  レイアウト配置部
１２７  境界線生成部
１２９  余白設定部
１３１  プレビュー部
１３３  画像処理部
２０１  ホストコンピュータ
２２１  プリンタドライバ
２２３  レイアウト設定部
２２５  レイアウト配置部
２２７  境界線生成部
２２９  余白設定部
２３１  プレビュー部
２３３  画像処理部
【図１】
2010030079.tif 000003
【図２】
2010030079.tif 000004
【図３】
2010030079.tif 000005
【図４】
2010030079.tif 000006
【図５】
2010030079.tif 000007
【図６】
2010030079.tif 000008
【図７】
2010030079.tif 000009
【図８】
2010030079.tif 000010
【図９】
2010030079.tif 000011